(57)【特許請求の範囲】
【請求項１】
横並びに配置された一対の送風機と、
各送風機に対応するように当該送風機の上流側となる下方に配置された、相互に対称形状の一対の半体同士が接合されて構成される熱交換器と、を備え、
前記半体のそれぞれは、対応する前記送風機側から見た平面視で、当該送風機を中心にした周方向に第１熱交換部、第２熱交換部、第３熱交換部及び第４熱交換部を有し、
前記第１熱交換部と前記第３熱交換部とが向き合うとともに前記第３熱交換部同士を背合わせするように前記一対の半体同士が接合され、
前記第４熱交換部は、前記第２熱交換部と向き合うとともに前記第１熱交換部に連続しており、
前記第３熱交換部は、平面視で全体にわたって円弧形状になっており、
前記第３熱交換部側での前記半体同士の対向部の長さをＬとし、
前記第３熱交換部側での前記対向部同士の間に形成される間隙の、平面視での面積をＳとした場合に、下記の関係式（１）を満足する室外機を備えることを特徴とする空気調和機。
Ｓ／Ｌ２≧０．１６    ・・・式（１）
【請求項２】
請求項１に記載の空気調和機において、
前記第３熱交換部は、前記第２熱交換部側の反対側に前記熱交換器の端部を有し、
前記第３熱交換部同士は、前記端部側で並行部分を含んでいることを特徴とする空気調和機。
【請求項３】
請求項１に記載の空気調和機において、
前記第３熱交換部は、前記第２熱交換部側の反対側に前記熱交換器の端部を有し、
前記第３熱交換部側での前記対向部同士の間に形成される間隙の幅は、前記端部に向かうほど徐々に狭くなっており、
前記端部での前記間隙の幅をＧとした場合に、下記関係式（２）を満足することを特徴とする空気調和機。
Ｇ／Ｌ≧０．１７    ・・・式（２）
（前記式中、Ｌは前記式（１）のＬと同義である）
【発明の詳細な説明】
【技術分野】
【０００１】
本発明は、空気調和機に関する。
【背景技術】
【０００２】
従来、空気調和機の室外機としては、横並びに配置された一対の送風機と、各送風機に対応するように当該送風機の上流側となる下方に配置された、相互に対称形状の一対の半体同士が接合されて構成される熱交換器と、を備えるものが知られている（例えば、特許文献１及び特許文献２参照）。この室外機は、半体同士が接合された熱交換器の背面の左右中央部で、半体を形成する熱交換器部分同士が正面側に向かって延出する構造を有している。
このような室外機によれば、前記の延出部が設けられることで、室外機の外側構造を大きく変更せずに、熱交換器の熱交換面を増大させることができる。
【先行技術文献】
【特許文献】
【０００３】
【特許文献１】特開２０１１−１１２３０３号公報
【特許文献２】特許第４８４８２５６号公報
【発明の概要】
【発明が解決しようとする課題】
【０００４】
しかしながら、従来の室外機（例えば、特許文献１及び特許文献２参照）においては、前記の延出部を設けて増加させた熱交換面に見合うように熱交換性能が充分に向上しない問題がある。
【０００５】
そこで、本発明の課題は、従来よりも熱交換性能に優れた室外機を有する空気調和機を提供することにある。
【課題を解決するための手段】
【０００６】
前記課題を解決した本発明の空気調和機は、横並びに配置された一対の送風機と、各送風機に対応するように当該送風機の上流側となる下方に配置された、相互に対称形状の一対の半体同士が接合されて構成される熱交換器と、を備え、前記半体のそれぞれは、対応する前記送風機側から見た平面視で、当該送風機を中心にした周方向に第１熱交換部、第２熱交換部、第３熱交換部及び第４熱交換部を有し、前記第１熱交換部と前記第３熱交換部とが向き合うとともに前記第３熱交換部同士を背合わせするように前記一対の半体同士が接合され、前記第４熱交換部は、前記第２熱交換部と向き合うとともに前記第１熱交換部に連続しており、前記第３熱交換部は、平面視で全体にわたって円弧形状になっており、前記第３熱交換部側での前記半体同士の対向部の長さをＬとし、前記第３熱交換部側での前記対向部同士の間に形成される間隙の、平面視での面積をＳとした場合に、下記の関係式（１）を満足する室外機を備えることを特徴とする。
Ｓ／Ｌ２≧０．１６    ・・・式（１）
【発明の効果】
【０００７】
本発明によれば、従来よりも省エネルギ性能に優れた室外機を有する空気調和機を提供することができる。
【図面の簡単な説明】
【０００８】
【図１】本発明の第１実施形態に係る空気調和機の構成説明図である。
【図２】本発明の第１実施形態に係る空気調和機を構成する室外機の全体斜視図である。
【図３】本発明の第１実施形態に係る空気調和機を構成する室外機の平面図である。
【図４】図２の室外機を構成する室外熱交換器の全体斜視図である。
【図５】図４の室外熱交換器の半体における第３熱交換部の第１変形例を説明するための室外機の平面図である。
【図６】図４の室外熱交換器の半体における第３熱交換部の第２変形例を説明するための室外機の平面図である。
【図７】本発明の第２実施形態に係る空気調和機を構成する室外機の全体斜視図である。
【図８】図７の室外機を構成する室外熱交換器の全体斜視図である。
【図９】本発明の第２実施形態に係る空気調和機を構成する室外機の平面図である。
【図１０】図８の室外熱交換器の半体における第３熱交換部の第１変形例を説明するための室外機の平面図である。
【図１１】図８の室外熱交換器の半体における第３熱交換部の第２変形例を説明するための室外機の平面図である。
【図１２】室外熱交換器の半体同士の対向部の長さをＬとし、対向部同士の間に形成される間隙の、平面視での面積をＳとした場合における「Ｓ／Ｌ２」の値と、「室外熱交換器の通過風速（ｍ／ｓ）」との関係を示すグラフである。
【図１３】室外熱交換器の半体同士の対向部の長さをＬとし、対向部の端部で対向部同士の間に形成される間隙の幅をＧとした場合における「Ｇ／Ｌ」の値と、室外熱交換器の熱交換面の単位面積当たりの「対向部交換熱量／全体交換熱量」の値との関係を示すグラフである。
【発明を実施するための形態】
【０００９】
次に、本発明を実施形態について適宜図面を参照しながら詳細に説明する。
本発明の空気調和機は、一対の半体同士が接合されて構成される熱交換器の、半体の対向部同士の間に形成される間隙の面積をＳとし、対向部の長さをＬとした場合に、下記の関係式（１）を満足する室外機を備えることを主な特徴とする。
Ｓ／Ｌ２≧０．１６    ・・・式（１）
以下では、本発明の第１実施形態及び第２実施形態に基づいて本発明を詳細に説明する。
【００１０】
（第１実施形態）
ここでは本発明の第１実施形態に係る空気調和機の全体構成について説明した後にこの空気調和機を構成する室外機について説明する。
【００１１】
＜空気調和機の全体構成＞
図１は、本実施形態に係る空気調和機１００の構成説明図である。
図１に示すように、空気調和機１００は、室内機９１と室外機９０とを備えており、室内機９１と室外機９０とは配管１０を介して接続されている。ちなみに、本実施形態に係る空気調和機１００では、２つの室内機９１が配管１０で並列に接続されている。本実施形態に係る空気調和機１００では、２つの室内にそれぞれ個別に室内機９１が配置されることを想定しているが、これに限定されるものではない。室内機９１は、１つ又は３以上とすることができる。なお、室内機９１が３以上となる場合には、各室内機９１は、配管１０で並列に接続されることとなる。
【００１２】
室内機９１は、室内熱交換器７と室内膨張弁８と、を備えている。
室外機９０は、圧縮機１と、四方弁２と、室外膨張弁６と、室外熱交換器３と、アキュムレータ５とを備えている。
図１中、符号４は室外熱交換器３に外気を送り込む室外送風機であり、符号９は室内の空気を室内熱交換器７に送り込む室内送風機である。符号１５，１６は、配管１０を室外機９０に接続するための配管接続口である。
【００１３】
この空気調和機１００は、四方弁２を切り替えることで室内熱交換器７を蒸発器、室外熱交換器３を凝縮器として使用する冷房運転と、室内熱交換器７を凝縮器、室外熱交換器３を蒸発器として使用する暖房運転とを行うヒートポンプ式のものである。なお、図１に示す四方弁２の切り替え状態は、冷房運転時のものである。また、図１中、実線矢印Ｘは冷房運転時における冷媒の循環方向を示し、破線矢印Ｙは暖房運転時における冷媒の循環方向を示している。
【００１４】
例えば、冷房運転時の空気調和機１００においては、圧縮機１で圧縮された高温高圧の冷媒は、四方弁２を通過して室外熱交換器３に流入し、空気との熱交換により放熱して凝縮する。その後、冷媒は、室外膨張弁６により等エンタルピ膨張し、低温低圧でガス冷媒と液冷媒とが混在した気液二相流となる。この冷媒の気液二相流は、配管接続口１５を介して配管１０に流れ込む。その後、冷媒は、各室内機９１において室内膨張弁８を介して室内熱交換器７へ流入する。
【００１５】
この際、室内膨張弁８は、室内熱交換器７に流れ込む冷媒の流量を調整する。そして、室内熱交換器７での液冷媒は、空気からの吸熱作用によりガス冷媒に気化する。つまり、液冷媒が気化する際に室内熱交換器７が周囲の空気を冷却することで空気調和機１００は、冷房機能を発揮する。次いで、各室内熱交換器７を出た冷媒は、配管１０に流れ込む。その後、冷媒は、配管接続口１６及びアキュムレータ５を介して圧縮機１へ戻る。圧縮機１に戻った冷媒は、再び高温高圧に圧縮されると共に、四方弁２、室外熱交換器３、室内膨張弁８及び室内熱交換器７を循環する。つまり、この循環が繰り返されることで冷凍サイクルが構成される。
【００１６】
＜室外機＞
次に、室内機９１についてさらに詳しく説明する。
図２は、本実施形態に係る空気調和機１００を構成する室外機９０の全体斜視図である。なお、本実施形態での室外機９０における前後上下左右の方向は、この室外機９０を設置した際の図２に示す前後上下左右の方向を基準とする。
【００１７】
図２に示すように、室外機９０は、略直方体の外形を呈している。
室外機９０は、平面視で矩形のベース部材１２と、ベース部材１２の四角のそれぞれに立設される４本の支持フレーム１１と、４本の支持フレーム１１の内側でベース部材１２上に配置される室外熱交換器３と、室外熱交換器３の上方に配置される室外送風機４と、を備えている。
【００１８】
支持フレーム１１は、断面視でＬ字状を呈しており（図５参照）、Ｌ字の外角部がベース部材１２の角部に対応するように配置されている。
室外熱交換器３は、図示しないが、上下方向に延在する細長の矩形板からなる放熱フィンが室外機９０の外周方向に積層されるように複数配置され、これら複数の放熱フィンを貫通して繋ぐように複数の冷媒管が設けられている。
【００１９】
このような室外熱交換器３は、略直方体の室外機９０における４つの側面に露出している。また、室外熱交換器３は、室外機９０の前面に配置されるパネル３１と協働して内側空間を有する略筒状体を形成している。
この室外熱交換器３については、後に詳しく説明する。
【００２０】
室外熱交換器３の上方には、室外送風機４が配置されている。
室外送風機４は、室外熱交換器３の内側に形成され、圧縮機１等が配置される内側空間５０（図３参照）から空気を室外機９０の外側に排出するように構成されている。つまり、駆動した室外送風機４は、室外機９０の３つの側面に露出する室外熱交換器３の放熱フィン（図示省略）間から外気を室外機９０内に吸い込んで、この吸い込んだ空気を室外機９０の外部に送り出すようになっている。
【００２１】
本実施形態の室外機９０は、２つの室外送風機４ａ，４ｂを備えている。これらの室外送風機４ａ，４ｂは、左右方向に並ぶように（横並びに）配置されている。なお、以下の説明において、２つの室外送風機４ａ，４ｂを特に区別しない場合には、単に室外送風機４と称する。
【００２２】
室外送風機４は、プロペラファン４１と、このプロペラファン４１を回転させるモータ（図示省略）と、プロペラファン４１の周囲を覆うベルマウス４３と、を備えている。
室外送風機４ａ及び室外送風機４ｂのそれぞれのプロペラファン４１ａ及びプロペラファン４１ｂは、上面視で左回り（反時計回り）で回転するようになっている。このように回転するプロペラファン４１ａ及びプロペラファン４１ｂは、前記したように室外熱交換器３の内側に形成される内側空間５０（図３参照）から空気を室外機９０の外部に送り出すようになっている。
【００２３】
ベルマウス４３は、筒状体である。具体的には、ベルマウス４３は、前記の内側空間側の下部から上部に掛けて徐々に縮径する略円筒形状に形成されている。
このベルマウス４３と室外熱交換器３との間に配置されることとなる天板１３には、図示しないが、ベルマウス４３の下部の内径に略等しい外径の円形開口が形成されている。この円形開口を介して、前記の内側空間とベルマウス４３の内側とが連通している。
また、この円形開口の径方向には、図示しないモータ支持フレームが渡し架けられている。
【００２４】
図２中、符号３３は、電気箱である。この電気箱３３には、この空気調和機１００を全般的に制御する制御装置が配置されている。この電気箱３３は、天板１３寄りでパネル３１の後側に沿うように配置されている。つまり、電気箱３３は、パネル３１に近接した配置されている。符号４４は、ケーシングである。
【００２５】
次に、室外機９０を構成する室外熱交換器３についてさらに詳しく説明する。
この室外熱交換器３は、室外送風機４の上流側に配置されている。
図３は、室外熱交換器３の左半体３０ａ及び右半体３０ｂにおける第３熱交換部３ｃを説明するための室外機９０の平面図である。図３中、室外機９０のケーシング４４、天板１３、圧縮機１、電気箱３３については、作図の便宜上それらの記載を省略している。また、図３中、室外送風機４は、仮想線（破線）にてプロペラファン４１の外径に等しい円で示している。
図４は、室外機９０を構成する室外熱交換器３の全体斜視図である。
【００２６】
図３に示すように、室外熱交換器３は、左半体３０ａと右半体３０ｂとが一体に接合されて構成されている。
なお、左半体３０ａと右半体３０ｂとは、請求の範囲にいう「半体」に相当する。
左半体３０ａと右半体３０ｂとは、左右の室外送風機４ａ，４ｂに対応するように設けられている。
【００２７】
左半体３０ａと右半体３０ｂとは、左右対称に形成されている。具体的には、左半体３０ａと右半体３０ｂとは、平面視で室外機９０の前後方向に延びる当該室外機９０の中心軸６０（図３参照）を基準に線対称となるように形成されている。
【００２８】
左半体３０ａと右半体３０ｂとは、室外機９０の側面に配置される第１熱交換部３ａと、室外機９０の背面に配置される第２熱交換部３ｂと、第１熱交換部３ａに対向するように配置される第３熱交換部３ｃと、を有している。つまり、左半体３０ａと右半体３０ｂのそれぞれは、各室外送風機４ａ，４ｂを中心とする周方向に、第１熱交換部３ａと、第２熱交換部３ｂと、第３熱交換部３ｃと、がこの順番で配置されている。そして、第１熱交換部３ａと第３熱交換部３ｃとが対向している。
【００２９】
つまり、左半体３０ａと右半体３０ｂのそれぞれは、側面から背面へと延伸する第１熱交換部３ａ、背面の左右方向に延在する第２熱交換部３ｂ、及び背面の左右中央部から正面側に向かって延伸する第３熱交換部３ｃを有している。そして、第３熱交換部３ｃは、第２熱交換部３ｂ側の反対側に端部７１を有している。
【００３０】
ちなみに、本実施形態での第２熱交換部３ｂは、室外機９０の背面で左右方向に直線的に延びる部分で規定される。また、第１熱交換部３ａと第３熱交換部３ｃとは、室外機９０の前後方向に直線的に延びる部分と、第２熱交換部３ｂに接続される曲線部分（円弧状部分）とを備えて構成される。
【００３１】
この室外熱交換器３は、連結ピラー４０を介して左半体３０ａと右半体３０ｂとが一体に接合されて形成されている。そして、左半体３０ａと右半体３０ｂとは、第３熱交換部３ｃ側で向き合う対向部７０を有している。
本実施形態での対向部７０とは、前記した第３熱交換部３ｃで形成され、室外機９０の前後方向に直線的に延びる部分と、第２熱交換部３ｂに接続される曲線部分（円弧状部分）とで構成される。
また、左半体３０ａ及び右半体３０ｂの対向部７０における直線部分は、互いに並行しており、この並行部分Ｐは、望ましくは相互に平行になっている。
【００３２】
室外機９０は、このような並行部分Ｐを有することにより、内側空間５０を大きく確保しつつ、室外熱交換器３の熱交換面を増大させることができる。
【００３３】
図４に示すように、この連結ピラー４０は、左半体３０ａにおける第３熱交換部３ｃと、右半体３０ｂにおける第３熱交換部３ｃとの間で上下方向に延在している。
この連結ピラー４０は、左半体３０ａにおける対向部７０と、右半体３０ｂにおける対向部７０との間に形成される間隙３９の最小幅を維持しつつ、左半体３０ａと右半体３０ｂとを一体に接続している。
【００３４】
また、連結ピラー４０は、左半体３０ａにおける第３熱交換部３ｃと、右半体３０ｂにおける第３熱交換部３ｃとの間に形成される間隙３９を塞ぐことで、この間隙３９から直接、外気が室外機９０内に入り込まないようにしている。本実施形態での連結ピラー４０は、板状体で形成されている。
ちなみに、連結ピラー４０の下端部は、ベース部材１２（図２参照）に固定され、連結ピラー４０の上端部は、天板１３（図２参照）に固定されている。
【００３５】
図３に示すように、左半体３０ａにおける第１熱交換部３ａの端部と、右半体３０ｂにおける第１熱交換部３ａの端部との間には、サービススペース３１ａが確保されている。
このサービススペース３１ａを構成する開口部は、室外熱交換器３の内側空間５０に臨んでいる。
【００３６】
このサービススペース３１ａは、室外熱交換器３の内側空間５０に配置され、制御基板等が収容される電気箱３３（図２参照）、圧縮機１（図２参照）等の各種冷凍サイクル構成機器へのアクセス（例えば、メンテナンス等）を可能にする。
このサービススペース３１ａには、これを塞ぐようにパネル３１（図２参照）が取り付けられる。
【００３７】
再び図３に戻って、室外熱交換器３は、前記のように、室外機９０の前面に設けられるパネル３１と協働して内側空間を有する略筒状体を形成している。
左半体３０ａ及び右半体３０ｂにおける第３熱交換部３ｃは、室外機９０の背面側から正面側に向かって延びた先端部が、プロペラファン４１ａ，４１ｂの回転半径よりも外側に配置されている。
そして、左半体３０ａ及び右半体３０ｂの対向部７０同士の間には、前記した間隙３９が形成されている。この間隙３９の幅は、室外機９０の背面側から正面側に向かって徐々に狭くなるように形成されている。
【００３８】
本実施形態での室外機９０は、左半体３０ａ及び右半体３０ｂの対向部７０の前後方向の長さをＬとし、間隙３９の、平面視での面積をＳとした場合に、下記の関係式（１）を満足するようになっている。
Ｓ／Ｌ２≧０．１６    ・・・式（１）
【００３９】
また、本実施形態での室外機９０は、第３熱交換部３ｃの端部７１での間隙３９の幅をＧとした場合に、下記関係式（２）を満足するようになっている。
Ｇ／Ｌ≧０．１７    ・・・式（２）
（前記式中、Ｌは前記式（１）のＬと同義である）
【００４０】
以上の室外機９０を備える空気調和機１００は次のような作用効果を奏することができる。
従来の室外機を備える空気調和機（例えば、特許文献１及び特許文献２参照）では、対向部７０が設けられることによって室外機９０の外形の構成を大きく変更せずに、熱交換器の熱交換面を増大させることができる。
【００４１】
そして、この室外機９０は、前記式（１）を満足するように、間隙３９の面積Ｓ及び対向部７０の長さＬが設定されることで、対向部７０を通過する外気の流速を、室外熱交換器３の全体（対向部７０を含む全体）を通過する外気の流速に近づけることができる。言い換えれば、室外熱交換器３の周方向における外気通過速度分布において、均一化を図ることができる。
したがって、本実施形態の室外機９０を備える空気調和機１００によれば、従来よりも熱交換性能に優れた室外機９０を有する空気調和機１００を提供することができる。
【００４２】
また、室外機は、前記式（２）を満足するように、間隙３９の面積Ｓ及び端部７１での間隙３９の幅Ｇが設定されることで、対向部７０の熱交換面における単位面積当たりの熱交換量を、室外熱交換器３の全体（対向部７０を含む全体）における単位面積当たりの熱交換量に近づけることができる。つまり、本実施形態の室外機９０を備える空気調和機１００によれば、対向部７０における熱交換量を向上させることができる。
したがって、本実施形態の室外機９０を備える空気調和機１００によれば、従来よりも熱交換性能に優れた室外機９０を有する空気調和機１００を提供することができる。
【００４３】
以上、第１実施形態について説明したが、本発明はこの第１実施形態に限定されず、種々の形態で実施することができる。
第１実施形態では、左半体３０ａの第３熱交換部３ｃと右半体３０ｂの第３熱交換部３ｃとは、円弧状の部分と、並行部分Ｐを形成する直線状の部分とを有して構成されていたが、本発明はこれに限定されない。つまり、左半体３０ａと右半体３０ｂの第３熱交換部３ｃ同士は、室外機９０の背面側から正面側に向けて間隙３９の幅が徐々に狭くなるように形成されていればよい。
【００４４】
図５は、室外熱交換器３の左半体３０ａ及び右半体３０ｂにおける第３熱交換部３ｃの第１変形例を説明するための室外機の平面図である。図６は、室外熱交換器３の左半体３０ａ及び右半体３０ｂにおける第３熱交換部３ｃの第２変形例を説明するための室外機の平面図である。
【００４５】
図５に示すように、第３熱交換部３ｃは、平面視で互いに端部７１に向かうほど所定角度で傾斜して徐々に近接するように形成されるテーパ形状になっている構成とすることもできる。このような第１変形例によれば、前記式（１）及び前記式（２）を満足する間隙３９を有する室外熱交換器３を折曲げ加工等により容易に形成することができる。
【００４６】
また、図６に示すように、第３熱交換部３ｃは、平面視で円弧形状になっている構成とすることもできる。
このような第２変形例によれば、対向部７０の長さＬに対する間隙３９の面積Ｓを、より大きく設定することができる。このような第３熱交換部３ｃを有する室外熱交換器３によれば、対向部７０の周方向における外気通過速度分布及び熱交換量を、より均一にすることができる。
【００４７】
（第２実施形態）
次に、本発明の第２実施形態に係る空気調和機１００（図１参照）について説明する。
この第２実施形態に係る空気調和機１００は、前記第１実施形態に係る空気調和機１００と室外機９０（図１参照）のみが異なるので、ここでは室外機９０についてのみ説明する。なお、本発明の第２実施形態において、前記第１実施形態と同じ構成要素については同一の符号を付してその詳細な説明は省略する。
【００４８】
以下で参照する図７は、第２実施形態に係る空気調和機１００を構成する室外機９０の全体斜視図である。図８は、図７の室外機９０を構成する室外熱交換器３の全体斜視図である。図９は、室外機９０の平面図である。
【００４９】
図７に示すように、第２実施形態での室外機９０は、前記の第１実施形態での室外機９０（図２参照）と、室外熱交換器３及びパネル３１が異なっている。
図７中、４，４ａ，４ｂは、室外送風機であり、符号１１は、支持フレームであり、符号１２は、ベース部材であり、符号１３は、天板であり、符号４１，４１ａ，４１ｂは、プロペラファンであり、符号４４は、ケーシングである。
【００５０】
図８に示すように、第２実施形態での室外熱交換器３は、第１熱交換部３ａに第４熱交換部３ａ´を有している点で第１実施形態での室外熱交換器３（図４参照）と異なっている。
具体的には、室外熱交換器３の左半体３０ａは、前側に配置される第４熱交換部３ａ´と、左側面に配置される第１熱交換部３ａと、後側に配置される第２熱交換部３ｂと、第１熱交換部３ａに対向するように配置される第３熱交換部ｃと、を有している。そして、第２熱交換部３ｂと、第４熱交換部３ａ´とは対向している。
【００５１】
また、室外熱交換器３の右半体３０ｂは、前側に配置される第４熱交換部３ａ´と、右側面に配置される第１熱交換部３ａと、後側に配置される第２熱交換部３ｂと、第１熱交換部３ａに対向するように配置される第３熱交換部ｃと、を有している。そして、第２熱交換部３ｂと、第４熱交換部３ａ´とは対向している。
【００５２】
そして、左半体３０ａ及び右半体３０ｂにおける前側の第４熱交換部３ａ´から側面の第１熱交換部３ａへは、所定の曲率のＲ部を介して互いに９０度の内角を形成するように曲がっている。
図８中、符号３８は、サイドプレートであり、符号３９は、間隙であり、符号４０は、連結ピラーである。
【００５３】
図９に示すように、左半体３０ａと右半体３０ｂのそれぞれは、各室外送風機４ａ，４ｂを中心とする前後左右に、第４熱交換部３ａ´と第２熱交換部３ｂとが対向し、第１熱交換部３ａと第３熱交換部３ｃとが対向している。したがって、左半体３０ａ及び右半体３０ｂのそれぞれは、前側の第４熱交換部３ａ´から後側中央部の第３熱交換部３ｃを有する四面熱交換体となっている。
【００５４】
このような左半体３０ａ及び右半体３０ｂにおいて、第４熱交換部３ａ´の左右方向の長さは、第２熱交換部３ｂの左右方向の長さよりも短い。
したがって、左半体３０ａにおける第４熱交換部３ａ´の端部と、右半体３０ｂにおける第４熱交換部３ａ´の端部との間にサービススペース３１ａが形成される。このサービススペース３１ａには、前記のパネル３１が取り付けられる。
【００５５】
このような本実施形態での室外熱交換器３は、前記の第１実施形態での室外熱交換器３（図３参照）と同様に、室外機９０の前面に設けられるパネル３１と協働して内側空間を有する略筒状体を形成している。
左半体３０ａ及び右半体３０ｂの対向部７０同士の間には、前記した間隙３９が形成されている。この間隙３９の幅は、室外機９０の背面側から正面側に向かって徐々に狭くなるように形成されている。
【００５６】
そして、この第２実施形態においても前記の第１実施形態と同様に、室外機９０は左半体３０ａ及び右半体３０ｂの対向部７０の前後方向の長さをＬとし、間隙３９の、平面視での面積をＳとした場合に、下記の関係式（１）を満足するようになっている。
Ｓ／Ｌ２≧０．１６    ・・・式（１）
【００５７】
また、本実施形態での室外機９０は、第３熱交換部３ｃの端部７１での間隙３９の幅をＧとした場合に、下記関係式（２）を満足するようになっている。
Ｇ／Ｌ≧０．１７    ・・・式（２）
（前記式中、Ｌは前記式（１）のＬと同義である）
【００５８】
以上の室外機９０を備える第２実施形態に係る空気調和機１００は、前記の室外機９０（図２参照）を備える第１実施形態に係る空気調和機１００（図１参照）と同様の効果を奏するとともに、次のような作用効果を奏することができる。
【００５９】
また、この室外機９０によれば、第１熱交換部３ａ、第２熱交換部３ｂ、第３熱交換部３ｃ及び第４熱交換部３ａ´が室外機９０の外周に沿うように４面配置されるので、室外熱交換器３の伝熱性能を向上させることができる。これにより室外機９０を大型化させることなく、室外熱交換器３の通風抵抗を低減させることができるので、省エネルギ性能に優れ、コンパクト化を達成することができる空気調和機１００を提供することができる。
【００６０】
次に参照する図１０は、図８の室外熱交換器の半体における第３熱交換部の第１変形例を説明するための室外機の平面図である。図１１は、図８の室外熱交換器の半体における第３熱交換部の第２変形例を説明するための室外機の平面図である。
【００６１】
図１０に示すように、第３熱交換部３ｃは、平面視で互いに端部７１に向かうほど所定角度で傾斜して徐々に近接するように形成されるテーパ形状になっている構成とすることもできる。このような第１変形例によれば、前記式（１）及び前記式（２）を満足する間隙３９を有する室外熱交換器３を折曲げ加工等により容易に形成することができる。
【００６２】
また、図１１に示すように、第３熱交換部３ｃは、平面視で円弧形状になっている構成とすることもできる。
このような第２変形例によれば、対向部７０の長さＬに対する間隙３９の面積Ｓを、より大きく設定することができる。このような第３熱交換部３ｃを有する室外熱交換器３によれば、対向部７０の周方向における外気通過速度分布及び熱交換量を、より均一にすることができる。
【実施例】
【００６３】
次に、本発明の空気調和機の作用効果を検証した実施例について説明する。
なお、以下の実施例では前記の第２実施形態に係る室外機９０（図７参照）を有する空気調和機１００（図１参照）についての作用効果を検証した。
（実施例１）
本実施例では、Ｎｏ．１からＮｏ．５までの５つの室外熱交換器３における前記「Ｓ／Ｌ２」の値に対する「室外熱交換器３の通過風速（ｍ／ｓ）」との関係を、ＣＡＥ（Computer Aided Engineering）によるシミュレーション試験を行って求めた。
【００６４】
図１２は、室外熱交換器３の左半体３０ａ及び右半体３０ｂ同士の対向部７０の長さをＬとし、対向部７０同士の間に形成される間隙３９の、平面視での面積をＳとした場合における「Ｓ／Ｌ２」の値と、「室外熱交換器３の通過風速（ｍ／ｓ）」との関係を示すグラフである。
【００６５】
図１２中、「○」印は、室外熱交換器３の全体（対向部７０を含む全体）における通過風速（外気通過速度）［ｍ／ｓ］の平均値である。「▲」印は、２つの対向部７０全体における通過風速（外気通過速度）［ｍ／ｓ］の平均値である。
ちなみに、対向部７０の通過風速（図１２中、「▲」印で表す）が、室外熱交換器３の全体の通過風速（図１２中、「○」印で表す）に近づくほど、室外熱交換器３の周方向における風速分布が均一化することを表している。
【００６６】
図１２に示すように、「Ｓ／Ｌ２」の値が、０．１６よりも小さいと、対向部７０の通過風速は、室外熱交換器３の全体の通過風速の約７０％を下回ってしまう（図１２中、Ｎｏ．１参照）。これに対して「Ｓ／Ｌ２」の値が、０．１６以上では、対向部７０の通過風速は、室外熱交換器３の全体の通過風速の約８０％以上となっている。
つまり、「Ｓ／Ｌ２」の値を０．１６以上に設定することで、室外熱交換器３の周方向における風速分布が均一化されることが検証された。
【００６７】
（実施例２）
本実施例では、Ｎｏ．６からＮｏ．１０までの５つの室外熱交換器３における前記「Ｇ／Ｌ」の値に対する、室外熱交換器３の熱交換面の単位面積当たりの「対向部交換熱量／全体交換熱量」の値の関係を、ＣＡＥ（Computer Aided Engineering）によるシミュレーション試験を行って求めた。
【００６８】
図１３は、室外熱交換器３の左半体３０ａ及び右半体３０ｂ同士の対向部７０の長さをＬとし、対向部７０の端部７１での間隙３９の幅をＧとした場合における「Ｇ／Ｌ」の値と、室外熱交換器３の熱交換面の単位面積当たりの「対向部交換熱量／全体交換熱量」の値との関係を示すグラフである。
【００６９】
図１３に示すように、「Ｇ／Ｌ」の値が０．１７であるＮｏ．８の室外熱交換器３を境に、Ｎｏ．６及びＮｏ．７の室外熱交換器３では、前記の「対向部交換熱量／全体交換熱量」の値が急激に低下している。
つまり、「Ｇ／Ｌ」の値を０．１７以上に設定することで、室外熱交換器３の周方向における交換熱量が均一化されることが検証された。
【符号の説明】
【００７０】
１      圧縮機
２      四方弁
３      室外熱交換器
３ａ    第１熱交換部
３ｂ    第２熱交換部
３ｃ    第３熱交換部
３ａ´  第４熱交換部
４      室外送風機
４ａ    室外送風機
４ｂ    室外送風機
５      アキュムレータ
６      室外膨張弁
７      室内熱交換器
８      室内膨張弁
１０    配管
１１    支持フレーム
１２    ベース部材
１３    天板
１５    配管接続口
３０ａ  左半体
３０ｂ  右半体
３１    パネル
３１ａ  サービススペース
３３    電気箱
３９    間隙
４０    連結ピラー
４１    プロペラファン
４１ａ  プロペラファン
４１ｂ  プロペラファン
４３    ベルマウス
４４    ケーシング
５０    内側空間
６０    中心軸
７０    対向部
７１    端部
９０    室外機
９１    室内機
１００  空気調和機
Ｐ      並行部分
【図１】
0006562672.tif 000002
【図２】
0006562672.tif 000003
【図３】
0006562672.tif 000004
【図４】
0006562672.tif 000005
【図５】
0006562672.tif 000006
【図６】
0006562672.tif 000007
【図７】
0006562672.tif 000008
【図８】
0006562672.tif 000009
【図９】
0006562672.tif 000010
【図１０】
0006562672.tif 000011
【図１１】
0006562672.tif 000012
【図１２】
0006562672.tif 000013
【図１３】
0006562672.tif 000014